(57)【特許請求の範囲】
【請求項１】
構造物中間部分の中間基体を基準にした折畳みによって自立安定性を確保して立方体乃至直方体をなすとともに該中間基体を基準とした伸張によって架設ハウス，仮設救護所，車庫，倉庫等の用途に使用する折畳み構造物であって，上記中間基体を建造物中間部分の対向平側壁と屋根とを高剛性一体に固定して形成する一方，該中間基体における上記屋根の妻側端部にそれぞれ上下方向回動自在にヒンジ連結した両妻側の起倒屋根を，上記中間基体の上記対向平側壁における妻側端部にそれぞれ内外方向に回動自在にヒンジ連結したそれぞれ対向する両妻側の平側回動壁を，上記対向する両妻側の平側回動壁における各自由端側の端部にそれぞれ該平側回動壁に重合可能にしてその離接方向に回動自在にヒンジ連結し且つ妻側中間位置で相互に自由端を連結自在とした両妻側各区分形成の妻側回動壁を配置することによって上記中間基体を基準とした折畳みと伸張とを自在としてなることを特徴とする折畳構造物。
【請求項２】
上記中間基体における対向平側壁の妻側端部を，該対向平側壁間で幅方向に変位して配置するとともに該対向平側壁にヒンジ連結する上記対向する両妻側の平側回動壁幅を上記妻側端部の変位幅に応じて異幅としてなることを特徴とする請求項１に記載の折畳構造物。
【請求項３】
上記両妻側各区分形成の妻側回動壁に代えて，対向する両妻側の平側回動壁における各自由端側の端部にそれぞれ該平側回動壁に重合可能にしてその離接方向に回動自在にヒンジ連結し且つ妻側端部位置で対向する他方の平側回動壁の自由端側端部に自由端を連結自在とした両妻側各一体形成の妻側回動壁を備えてなることを特徴とする請求項１又は２に記載の折畳構造物。
【請求項４】
上記両妻側各区分形成の妻側回動壁又は両妻側各一体形成の妻側回動壁に代えて，該妻側回動壁を妻側一方に備えるとともに妻側他方の対向する平側回動壁間を開放面とし又は開口部材後付け設置面としてなることを特徴とする請求項１，２又は３に記載の折畳構造物。
【発明の詳細な説明】
【０００１】
【発明の属する技術分野】
本発明は，例えば仮設ハウス，仮設救護所，車庫，倉庫等として使用するに好適な折畳構造物に関する。
【０００２】
【従来の技術】
この種折畳構造物として，本発明者の提案にかかる，例えば対向する平側壁に，それぞれ中央位置でヒンジ連結した屋根及び妻側壁をヒンジ連結して，屋根を山折りに，妻側壁を谷折りに折り畳むようにし，必要に応じて床を同様にヒンジ連結し又は後付け設置するようにしたものが知られている。
【０００３】
【発明が解決しようとする課題】
この場合構造物をコンパクトに折り畳んで搬送したり，保管したりすることが可能で使い勝手のよいものとすることが可能であるが，一方でその折畳状態は谷折りした妻側壁の厚さの間隔を介して平側壁を対向した合計厚さにして比較的薄いものとなるから，折畳状態での自立安定性において欠けることがあり，例えば自立の起立状態で搬送しまた保管するに際して，転倒の可能性が残り，その自立のための補助手段を施す必要を生じたり，クレーンで設置現場に吊り支持してその設置や撤去を行なうに際して，同じく転倒の可能性が残り，その作業が煩雑化したりする可能性を残している。
【０００４】
本発明はかかる事情に鑑みてなされたもので，その解決課題とするところは，比較的床面積の大きな場合でも，トラックによる搬送が可能な程度にコンパクトな折畳ができるとともに折畳状態での自立安定性を高度に確保して，搬送や保管，設置や撤去に際して転倒の可能性を解消した折畳構造物を提供するにある。
【０００５】
【課題を解決するための手段】
上記課題に添って本発明は，構造物の妻側幅を有するとともに伸長状態の平側幅より小さい幅を有する，対向平側壁と屋根とを固定して構造物の中間部分をなすことによって，それ自体の自立安定性を高度に確保した中間基体と，この中間基体を折畳と伸張の基準として，該中間基体にヒンジ連結した中間基体両妻側の起倒屋根と平側回動壁とを備え，更に該平側回動壁に同じくヒンジ連結して妻側を仕切る妻側壁を備えて，上記中間基体を基準とした折り畳みによって転倒可能性を解消した自立状態でのトラック搬送や保管，設置や撤去をなし得るようにするとともに同じく上気中間基体を基準とした伸張によって建造物の用途に応じた使用をなし得るようにしたものであって，即ち請求項１に記載の発明を，構造物中間部分の中間基体を基準にした折畳みによって自立安定性を確保して立方体乃至直方体をなすとともに該中間基体を基準とした伸張によって架設ハウス，仮設救護所，車庫，倉庫等の用途に使用する折畳み構造物であって，上記中間基体を建造物中間部分の対向平側壁と屋根とを高剛性一体に固定して形成する一方，該中間基体における上記屋根の妻側端部にそれぞれ上下方向回動自在にヒンジ連結した両妻側の起倒屋根を，上記中間基体の上記対向平側壁における妻側端部にそれぞれ内外方向に回動自在にヒンジ連結したそれぞれ対向する両妻側の平側回動壁を，上記対向する両妻側の平側回動壁における各自由端側の端部にそれぞれ該平側回動壁に重合可能にしてその離接方向に回動自在にヒンジ連結し且つ妻側中間位置で相互に自由端を連結自在とした両妻側各区分形成の妻側回動壁を配置することによって上記中間基体を基準とした折畳みと伸張とを自在としてなることを特徴とする折畳構造物とし，請求項２に記載の発明は，上記に加えて，構造物の折畳に際して上記平側回動壁及び妻側回動壁の衝接を避けて，納まりのよい折畳状態を確保し得るように，これを，上記中間基体における対向平側壁の妻側端部を，該対向平側壁間で幅方向に変位して配置するとともに該対向平側壁にヒンジ連結する上記対向する両妻側の平側回動壁幅を上記妻側端部の変位幅に応じて異幅としてなることを特徴とする請求項１に記載の折畳構造物とし，請求項３に記載の発明は，同じく上記に加えて，妻側回動壁を他の形態のものとするように，これを，上記両妻側各区分形成の妻側回動壁に代えて，対向する両妻側の平側回動壁における各自由端側の端部にそれぞれ該平側回動壁に重合可能にしてその離接方向に回動自在にヒンジ連結し且つ妻側端部位置で対向する他方の平側回動壁の自由端側端部に自由端を連結自在とした両妻側各一体形成の妻側回動壁を備えてなることを特徴とする請求項１又は２に記載の折畳構造物とし，請求項４に記載の発明は，同じく上記に加えて，妻側壁の一方を開放面として開放し又は開口部材を設置して開閉自在とし，開口を大きく確保して，例えば倉庫，車庫等適宜の使用目的に対応したものとし得るように，これを，上記両妻側各区分形成の妻側回動壁又は両妻側各一体形成の妻側回動壁に代えて，該妻側回動壁を妻側一方に備えるとともに妻側他方の対向する平側回動壁間を開放面とし又は開口部材後付け設置面としてなることを特徴とする請求項１，２又は３に記載の折畳構造物とし，これらをそれぞれ発明の要旨として上記課題解決の手段としたものである。
【０００６】
【発明の実施の形態】
以下図面の例に従って本発明を更に具体的に説明すれば，Ａは，例えば車庫として使用するように構成した高さを約２．６ｍ，平側幅（長さ）を約５ｍ，妻側幅（幅）を約２．５ｍとした矩形断面の床なしとして構成した折畳構造物であり，該折畳構造物Ａは，構造物Ａ中間部分の中間基体１を基準にした折畳みによって自立安定性を確保した立方体乃至直方体をなすとともに該中間基体１を基準とした伸張によって，本例にあって上記車庫の用途に使用するものとしてあり，該折畳構造物Ａは，上記中間基体１に加えて，起倒屋根２，平側回動壁３，妻側回動壁４を配置したものとしてある。
【０００７】
中間基体１は，屋根１１及び対向する対向平側壁１２を高剛性一体に固定して形成したものとしてあり，本例において該中間基体１は，折畳構造物Ａを３区分した該折畳構造物Ａの中間部分をなすものとして，本例においてそれぞれ枠に波パネル又は平パネルを張設したパネルによる上記屋根１１と対向する対向平側壁１２を相互に固定することによって断面下向きコ字状の高剛性一体のものとしてあり，本例において該中間基体１は，上記５ｍの折畳構造物Ａにあって，約２ｍ，例えば１．７乃至１．８ｍ程度のものとしてある。
【０００８】
起倒屋根２は，該中間基体１の上記屋根１１の妻側端部にそれぞれ上下方向回動自在にヒンジ５連結した両妻側のものとしてあり，本例にあって該起倒屋根２は，同じく枠に波パネルを張設したパネルによるものとし，上記屋根１１の両妻側の枠に対して枠同士を，該枠に設置した各長手方向全長の軸と軸受の回動自在の嵌合によるアルミ全面ヒンジを用いて上下方向回動自在，本例にあっては上記屋根１１の端部を回動基準として上下に少なくとも１／４円起倒回動自在に連結してあり，このとき該起倒屋根２は妻側幅を中間基体１と略同一幅とし，平側幅を折畳構造物Ａの高さを超えない幅とするようにしてあり，本例にあって該平側幅はこれを例えば約１．５ｍ，例えば１．７乃至１．８ｍ程度のものとしてある。
【０００９】
平側回動壁３は，上記中間基体１の上記対向する対向平側壁１２における妻側端部にそれぞれ内外方向に回動自在にヒンジ５連結したそれぞれ対向する両妻側のものとしてあり，本例にあって該平側回動壁３は，同じく枠に平パネルを張設したパネルによるものとし，上記平側壁１２における各妻側端部の枠に対して，同様に該枠に設置した各長手方向全長の軸と軸受の回動自在の嵌合によるアルミ全面ヒンジを用いて内外方向回動自在，本例にあっては対向平側壁１２の端部を回動基準として内外方向に少なくとも１／４円水平回動自在にして，対向平側壁１２に対して面一の伸長と交差の折畳，特に直交する交差折畳をなすように伸長折畳の回動を自在とするように連結してある。
【００１０】
このとき本例にあって上記中間基体１は，その対向する対向平側壁１２の妻側端部を，該対向平側壁１２間で幅方向に変位して配置するとともに該対向平側壁１２にヒンジ５連結する上記対向する両妻側の平側回動壁３幅を上記妻側端部の変位幅に応じて異幅としたものとしてあり，本例にあって上記変位幅は，上記平側回動壁３を直交して交差折畳した際にその衝接を生じることなくその厚さ，本例にあっては後述の妻側回動壁３の折畳厚さとの合計の厚さに応じて，これを吸収する幅としてあり，例えば数十ｃｍ，特に２５ｃｍ程度のものとしてあり，平側回動壁３はその平側幅を片側の対向平側壁１２の両妻側に位置する一方において２ｍ程度，他方において上記数十ｃｍ，特に２５ｃｍ程度短い１．７乃至１．８ｍ程度の異幅のものとし，対向する平側回動壁３において相互にその対向平側壁１２とのヒンジ５連結位置をずらして配置したものとしてある。
【００１１】
妻側回動壁４は，上記対向する両妻側の平側回動壁３における各自由端側の端部にそれぞれ該平側回動壁３に重合可能にしてその離接方向に回動自在にヒンジ５連結し且つ妻側中間位置で相互に自由端を連結自在とした両妻側各区分形成のものとしてあり，本例にあって妻側回動壁４は，同様に枠に平パネルを張設したパネルによる区分形成のものとするとともに平側回動壁４の自由端側端部において枠同士を，同じく該枠に設置した各長手方向全長の軸と軸受の回動自在の嵌合によるアルミ全面ヒンジを用いて平側回動壁３と重合可能にしてその離接方向に回動自在，本例にあって平側回動壁３の自由端を回動基準としてこれに対する交差の伸長，特に直交する交差伸長と該平側回動壁３の内側への重合の折畳をなすように少なくとも１／４円の伸長折畳の回動を自在とするように連結してあり，このとき妻側回動壁４の区分形成は，折畳構造物Ａの妻側幅を２区分，本例にあっては２等分した幅，例えば１ｍ程度の幅にして，上記平側回動壁３に対して交差伸長した際に自由端相互を，例えば面一状態で重合する自由端側の枠に設置した重合部を相互に重合し，長手方向複数にして着脱自在の金具７，例えばボルトナットによってこれらを連結自在としてある。
【００１２】
このとき本例の折畳構造物Ａにあって上記妻側回動壁４は，これを該折畳構造物Ａの妻側一方に備えるとともに妻側他方の対向する平側回動壁３間を開放面とし又は開口部材後付け設置面としてあり，本例にあって該妻側他方においては，これを例えば車両の出入り用の妻側を可及的に全開する開口を得られるとともにその開閉を可能とする縦引きシャッターによる開口部材８を後付け設置する開口部材後付け設置面としてある。
【００１３】
このように構成した折畳構造物Ａは，図２及び図４に示す折畳状態として現場にトラック搬送し，中間基体１の屋根１１に設置した吊りリング６を介してクレーンで吊り支持して設置場所に据置し，各妻側端部の転倒状態の起倒屋根２を，これに設置した吊りリング６を介してクレーンで吊り持ちして跳ね上げ状に回動し，屋根１１と面一又はやや上向きに傾斜した起立状態とし，該起立状態で各妻側端部の平側回動壁３を，例えば人手でそれぞれ外側に伸長回動して平側壁１２と面一に伸長し，次いで平側回動壁３の各自由端側の妻側回動壁４を回動してこれら平側回動壁３と直交の交差伸長状態とし，該各妻側回動壁４の自由端同士を連結し，クレーンを外して起倒屋根２下面端部を平側回動壁３及び妻側回動壁４に載置し，必要に応じた固定をこれらの間で施すことによって，図１及び図３に示す中間基体１を基準とする伸長を行なって設置使用の状態とすることができ，また撤去を行なうときは，起倒屋根２を同様にクレーンで吊り持ちした起倒状態とし，上記と逆の手順で中間基体１を基準として折畳を行なうようにすればよい。
【００１４】
本例の折畳構造物Ａは，その上記中間基体１を基準とした折畳状態で平側幅が約２ｍ，妻側幅が約２．５ｍ，高さが約２．６ｍのコンパクトな立方体乃至直方体をなし，トラックの荷台に容易に積載することが可能となるとともにその自立安定性を高度に確保したものとなるから，トラック輸送や保管が容易である一方，クレーンによる設置や撤去の作業性を良好とすることができ，また伸長状態とすることによって上記平側幅を約５ｍとする広い直方体をなすものとしてそれぞれの用途に好適に使用することができる。
【００１５】
図中９は本例において折畳構造物Ａを設置するに使用した基礎ブロック，３１は平側回動壁３の各端部に設置した，妻側回動壁４の重合折畳を容易にするとともに強度を確保し，更に本例において上記開口部材８の設置枠をなす端部折返壁，８１は本例において用いた上記縦引きシャッターのシャッターケース，９１は上記基礎ブロック９の固定用アンカーである。
【００１６】
図示した例は以上のとおりとしたが，本発明の実施に当って妻側回動壁を両妻側の平側回動壁の端部にそれぞれヒンジ連結して両妻側各区分形成の妻側回動壁を備えたものとすること，上記両妻側各区分形成の妻側回動壁に代えて，対向する両妻側の平側回動壁における各自由端側の端部にそれぞれ該平側回動壁に重合可能にしてその離接方向に回動自在にヒンジ連結し且つ妻側端部位置で対向する他方の平側回動壁の自由端側端部に自由端を連結自在とした両妻側各一体形成の妻側回動壁を備えたものとすること，この場合も上記と同様に該一体形成の妻側回動壁を妻側一方に備えるとともに妻側他方の対向する平側回動壁間を開放面とし又は開口部材後付け設置面とすること，上記アルミ全面ヒンジに代えて，長手方向に複数のヒンジ金物を使用することによってヒンジ連結を行なうこと，中間基体の対向平側壁，平側回動壁，妻側回動壁に適宜に窓，ドア等の開口部材を設置すること，折畳構造物を事務所，架設ハウス，臨時救護所，倉庫等各種用途に用いること，折畳構造物の用途に応じて床を設置すること，このとき床を後付けするようにし又は中間基体の対向平側壁，平側回動壁又は妻側回動壁の下端にヒンジ連結することによって同様に折畳伸張自在とすること等を含めて，中間基体，その屋根，対向平側壁，起倒屋根，平側回動壁，妻側回動壁，ヒンジ等の各具体的構造，形状，材質，これらの関係，これらに対する付加等は，上記発明の要旨に反しない限り様々の形態のものとすることができる。
【００１７】
【発明の効果】
本発明は以上のとおりに構成したから，請求項１に記載の発明は，構造物の妻側幅を有するとともに伸長状態の平側幅より小さい幅を有する，対向平側壁と屋根とを固定して構造物の中間部分をなすことによって，それ自体の自立安定性を高度に確保した中間基体と，この中間基体を折畳と伸張の基準として，該中間基体にヒンジ連結した中間基体両妻側の起倒屋根と平側回動壁とを備え，更に該平側回動壁に同じくヒンジ連結して妻側を仕切る妻側壁を備え，上記中間基体を基準とした折り畳みをなし得るようにするとともに同じく上記中間基体を基準とした伸張によって建造物の用途に応じた使用をなし得るようにすることにより，比較的床面積の大きな場合でも，トラックによる搬送が可能な程度にコンパクトな折畳と該折畳状態での高度な自立安定性を確保し，搬送や保管，設置や撤去に際して転倒の可能性を解消した折畳構造物を提供することができ，請求項２に記載の発明は，上記に加えて，構造物の折畳に際して上記平側回動壁及び妻側回動壁の衝接を避けて，納まりのよい折畳状態を確保し得るものとすることができ，請求項３に記載の発明は，同じく上記に加えて，妻側回動壁を他の形態のものとすることができ，請求項４に記載の発明は，同じく上記に加えて，妻側壁の一方を開放面として開放し又は開口部材を設置して開閉自在とし，開口を大きく確保して，例えば倉庫，車庫等適宜の使用目的に対応したものとすることができる。
【図面の簡単な説明】
【図１】  折畳構造物の伸長状態を示す斜視図である。
【図２】  折畳構造物の折畳状態を示す斜視図である。
【図３】  折畳構造物の伸長状態を示す横断面図である。
【図４】  折畳構造物の折畳状態を示す横断面図である。
【図５】  中間基体と転倒状態の起倒屋根の関係を示す部分縦断面図である。
【図６】  中間基体と起立状態の起倒屋根の関係を示す部分縦断面図である。
【図７】  折畳構造物の縦断面図である。
【符号の説明】
Ａ  折畳構造物
１  中間基体
２  起倒屋根
３  平側回動壁
４  妻側回動壁
５  ヒンジ
８  開口部材
１１  屋根
１２  対向平側壁
【図１】
0003855222.tif 000002
【図２】
0003855222.tif 000003
【図３】
0003855222.tif 000004
【図４】
0003855222.tif 000005
【図５】
0003855222.tif 000006
【図６】
0003855222.tif 000007
【図７】
0003855222.tif 000008